(57)【要約】【課題】  エンジンに吸入される空気量を増大させてエンジン効率を向上させることができる、自動二輪車のエアクリーナを提供する。【解決手段】  エアクリーナ１０は略円錐台形をしており、その内部は底面１１側に開放する中空部１４となっている。エアクリーナ１０自体は、発泡ウレタンなどの発泡体から構成されており、中空部１４を形成する略円錐台形の第一発泡体１５の側面部１３と上面部１２を第二発泡体１６が覆う二層構造となっている。さらに、側面部１３については、第二発泡体１６の外周面を第三発泡体１７が覆う三層構造となっている。これにより、三層構造の側面部１３の通気抵抗が二層構造の上面部１２に比べて大きくなり、エアクリーナケースに流入した空気は、側面部１３からエアクリーナ１０内に流入せず、上面部１２のみから流入する整流となり、吸入空気量が増大する。【選択図】      図３
2006257893.tif 000002
【特許請求の範囲】
【請求項１】
底面側に開放する中空部を有し、発泡体が積層されてなる略円錐台状の自動二輪車のエアクリーナにおいて、
テーパー状の側面部を構成する前記発泡体の通気抵抗と、上面部を構成する前記発泡体の通気抵抗が異なることを特徴とする自動二輪車のエアクリーナ。
【請求項２】
前記発泡体の通気抵抗は、当該発泡体の積層数によって制御されることを特徴とする請求項１に記載の自動二輪車のエアクリーナ。
【請求項３】
前記発泡体の通気抵抗は、当該発泡体の肉厚によって制御されることを特徴とする請求項１に記載の自動二輪車のエアクリーナ。
【請求項４】
前記発泡体の通気抵抗は、当該発泡体の発泡率によって制御されることを特徴とする請求項１に記載の自動二輪車のエアクリーナ。
【発明の詳細な説明】
【技術分野】
【０００１】
本発明は、自動二輪車のエアクリーナに関する。
【背景技術】
【０００２】
自動二輪車では、エンジンに吸入される燃焼用空気を濾過するために、シートの下に設けられたエアクリーナケース内にエアクリーナが収められており、エアクリーナは吸気パイプを介してキャブレータに接続されている（例えば、特許文献１参照）。
図７に示すように、エアクリーナ５０は、内部が中空になった略円錐台形をしており、発泡スポンジに粘着性オイルを滲みこませた湿式スポンジタイプが多く用いられている。また、目の細かい発泡スポンジ５１の外側を、目の粗い発泡スポンジ５２で覆った二層構造とし、エアクリーナ５０に付着した埃により流入空気が減少するのを防止している（図８参照）。
【特許文献１】特開平７−１５１０２９号公報  （第２−３頁、第１−６図）
【発明の開示】
【発明が解決しようとする課題】
【０００３】
しかしながら、従来のエアクリーナ５０は、外側と内側で異なる発泡スポンジ５１、５２を使用しているものの、同じ材質で同じ肉厚の発泡スポンジを全面に使用しているため、全面から均等に空気がエアクリーナ５０内に流入する。そのため、側面部から流入した空気Ｓ１と上面部から流入した空気Ｓ２がエアクリーナ５０内でぶつかり合って乱流が発生する。その結果、エンジンに吸入される空気量が減少し、エンジン効率が低下する要因となっている。
【０００４】
本発明は、上述する問題点に鑑みてなされたもので、エンジンに吸入される空気量を増大させてエンジン効率を向上させることができる、自動二輪車のエアクリーナを提供することを目的とする。
【課題を解決するための手段】
【０００５】
上記目的を達成するため、本発明は、底面側に開放する中空部を有し、発泡体が積層されてなる略円錐台状の自動二輪車のエアクリーナにおいて、テーパー状の側面部を構成する前記発泡体の通気抵抗と、上面部を構成する前記発泡体の通気抵抗が異なることを特徴とする。
【０００６】
また、本発明は、エアクリーナの側面部と上面部をそれぞれ構成する発泡体の積層数、肉厚、発泡率を変化させることによって、前記発泡体の通気抵抗を制御することを特徴とする。
【０００７】
エアクリーナは、エンジンを埃や砂から保護してエンジンの耐久性を確保するものであるが、エンジンに吸入される空気の流れには抵抗となる。そのため、従来のエアクリーナでは、なるべく通気抵抗の小さなものが良いとされ、埃や砂の侵入を防止する能力と通気抵抗の妥協点で製作されている。
これに対して、本発明では、エアクリーナの側面部と上面部をそれぞれ構成する発泡体の通気抵抗に差をつけることにより、空気の流れを規制してエアクリーナ内部の空気の流れを整え、吸入空気量を増大させてエンジン出力を向上させている。
【発明の効果】
【０００８】
本発明では、エアクリーナの側面部と上面部をそれぞれ構成する発泡体の通気抵抗に差をつけてエアクリーナ内部の空気の流れを制御することにより、埃や砂の侵入を防止する能力を低下させることなく、エンジンに吸入される空気量を増大させることができる。その結果、エンジン出力が向上するものである。
【発明を実施するための最良の形態】
【０００９】
以下、本発明に係る自動二輪車のエアクリーナの実施形態について図面に基づいて説明する。
図１は自動二輪車の左側面図であり、図２はシート部分の斜視図である。
自動二輪車１のシート２の下にはエアクリーナケース３が設けられている。エアクリーナケース３内の前側には、後述するように略円錐台形をしたエアクリーナ１０が底面部を前にして収められており、底面部には吸気パイプ４が接続されている。エアクリーナケース３の後端部は開口部（図示省略）になっており、エアクリーナケース３の後端部からエアクリーナ１０に流入した空気は、エアクリーナ１０で埃や砂が除去された後、吸気パイプ４を介してキャブレータ（図示省略）に供給される。
【００１０】
図３は、本発明に係るエアクリーナの第一の実施形態を示す側断面図である。
エアクリーナ１０は略円錐台形をしており、その内部は底面１１側に開放する中空部１４となっている。エアクリーナ１０自体は、発泡ウレタンなどの発泡体から構成されており、中空部１４を形成する略円錐台形の第一発泡体１５の側面部１３と上面部１２を第二発泡体１６が覆う二層構造となっている。さらに、側面部１３については、第二発泡体１６の外周面を第三発泡体１７が覆う三層構造となっている。
なお、第一発泡体１５、第二発泡体１６、第三発泡体１７の各材質および各肉厚は全て同一であるが、第一発泡体１５に比べて第二発泡体１６および第三発泡体１７のほうが目が粗くなっている。
【００１１】
図４はエアクリーナ１０内の空気の流れを示したものである。
本実施形態では、エアクリーナ１０の側面部１３が三層構造となっているため、二層構造である上面部１２に比べて側面部１３の通気抵抗が大きくなっている。このため、エアクリーナケース３に流入した空気Ｓは、側面部１３からエアクリーナ１０内に流入せず、上面部１２のみから流入する整流となり、吸入空気量が増大する。
エンジン内で空気と燃料を効率良く燃焼させるためには、空気と燃料の割合である空燃比を一定に保つ必要がある。そのため、吸入空気量が増えると、それに合わせて燃料の供給量も増やさなければならず、結果的にエンジン出力が向上することになる。
【００１２】
本実施形態によるエアクリーナ１０では、側面部１３を三層構造とすることにより、二層構造の上面部１２に比べて側面部１３の通気抵抗を大きくしているので、エアクリーナ１０内部の空気が整流となり、吸入空気量が増大し、エンジン出力が向上する。
【００１３】
次に、本発明に係るエアクリーナの他の実施形態について説明する。
図５は、本発明に係るエアクリーナの第二の実施形態を示す側断面図である。
本実施形態によるエアクリーナ２０では、中空部２４を形成する略円錐台形の第一発泡体２５の外面を覆う第二発泡体２６の側面部２３の肉厚が、上面部２２の肉厚に比べて厚くなっている。このため、上面部２２に比べて側面部２３の通気抵抗が大きくなり、エアクリーナケース３に流入した空気は、側面部２３からエアクリーナ１０内に流入せず、上面部２２のみから流入する整流となり、吸入空気量が増大するものである。
なお、第一発泡体２５、第二発泡体２６の材質は同一であるが、第一発泡体２５に比べて第二発泡体２６のほうが目が粗くなっている。
【００１４】
図６は、本発明に係るエアクリーナの第三の実施形態を示す側断面図である。
本実施形態によるエアクリーナ３０では、中空部３４を形成する略円錐台形の第一発泡体３５の側面部３３を覆う第二発泡体３６の発泡率が、上面部３２を覆う第三発泡体３７の発泡率に比べて小さくなっている。このため、上面部３２に比べて側面部３３の通気抵抗が大きくなり、エアクリーナケース３に流入した空気は、側面部３３からエアクリーナ１０内に流入せず、上面部３２のみから流入する整流となり、吸入空気量が増大するものである。
なお、第一発泡体３５、第二発泡体３６、第三発泡体３７の各肉厚は同一である。
【００１５】
以上、本発明に係る自動二輪車のエアクリーナの実施形態について説明したが、本発明は上記の実施形態に限定されるものではなく、その趣旨を逸脱しない範囲で適宜変更可能である。例えば、上記実施形態では、発泡体の通気抵抗を制御する際、発泡体の積層数、肉厚、発泡率それぞれについて単独例として示したが、発泡体の積層数を多くするとともに肉厚を厚くしたり、発泡体の肉厚を厚くするとともに発泡率を低くしたりするなど、第一乃至第三の実施形態を組み合わせた構成としてもよい。
また、上記実施形態では、上面部に比べて側面部の通気抵抗を大きくした例を示したが、側面部に比べて上面部の通気抵抗を大きくしてもよい。要は、エアクリーナ内の空気の流れが整流になればよいのである。
【図面の簡単な説明】
【００１６】
【図１】自動二輪車の左側面図である。
【図２】シート部分の斜視図である。
【図３】本発明に係るエアクリーナの第一の実施形態を示す側断面図である。
【図４】本発明に係るエアクリーナ内の空気の流れを示す概念図である。
【図５】本発明に係るエアクリーナの第二の実施形態を示す側断面図である。
【図６】本発明に係るエアクリーナの第三の実施形態を示す側断面図である。
【図７】従来のエアクリーナを示し、（ａ）は上面から見た斜視図、（ｂ）は底面から見た斜視図である。
【図８】従来のエアクリーナの側断面図である。
【図９】従来のエアクリーナ内の空気の流れを示す概念図である。
【符号の説明】
【００１７】
１  自動二輪車
２  シート
１０、２０、３０  エアクリーナ
３  エアクリーナケース
４  吸気パイプ
１１  底面
１２、２２、３２  上面部
１３、２３、３３  側面部
１４、２４、３４  中空部
１５、２５、３５  第一発泡体（発泡体）
１６、２６、３６  第二発泡体（発泡体）
１７、３７  第三発泡体（発泡体）
Ｓ  空気
【図１】
2006257893.tif 000003
【図２】
2006257893.tif 000004
【図３】
2006257893.tif 000005
【図４】
2006257893.tif 000006
【図５】
2006257893.tif 000007
【図６】
2006257893.tif 000008
【図７】
2006257893.tif 000009
【図８】
2006257893.tif 000010
【図９】
2006257893.tif 000011